(57)【要約】  端末において、HARQ-ACK生成部は、複数の下り制御信号にそれぞれ含まれる第１パラメータであって、複数の下り制御信号によって割り当てられる複数のトランスポートブロック（TB）の各々を構成するコードブロックグループ（CBG）の累積数を示す第１パラメータに基づいて、コードブロックグループ毎の応答信号（HARQ-ACK）を生成する。送信部は、コードブロックグループ毎の応答信号をまとめて送信する。
2019003635.tif 000002
【特許請求の範囲】
【請求項１】
複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成する回路と、
前記コードブロックグループ毎の応答信号をまとめて送信する送信機と、
を具備する端末。
【請求項２】
前記複数の下り制御信号の各々には、前記第１パラメータが含まれ、前記複数の下り制御信号によって割り当てられる前記コードブロックグループの総数の設定値を示す第２パラメータが含まれない、
請求項１に記載の端末。
【請求項３】
前記複数の下り制御信号の各々には、前記第１パラメータと、前記複数の下り制御信号によって割り当てられる前記コードブロックグループの総数の設定値を示す第２パラメータとが含まれ、
前記第２パラメータに示される前記設定値は、前記総数より大きい値である、
請求項１に記載の端末。
【請求項４】
複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成する回路と、
前記コードブロックグループ毎の応答信号をまとめて送信する送信機と、
を具備し、
１つの前記下り制御信号によって割り当てられる前記トランスポートブロックの各々に対応する前記応答信号のビット数は固定値である、
端末。
【請求項５】
前記固定値は、前記トランスポートブロックを構成する前記コードブロックグループの最大数である、
請求項４に記載の端末。
【請求項６】
前記固定値は、前記トランスポートブロックを構成する前記コードブロックグループの最大数未満の値である、
請求項４に記載の端末。
【請求項７】
前記固定値は、規定された複数の候補の中の何れか１つである、
請求項４に記載の端末。
【請求項８】
前記複数の下り制御信号によって割り当てられた前記コードブロックグループの数が、前記固定値よりも多い場合、
前記回路は、前記コードブロックグループのうち少なくとも２つのコードブロックグループに対する前記応答信号を束ねる、
請求項４に記載の端末。
【請求項９】
前記複数の下り制御信号の各々には、前記第１パラメータが含まれ、前記下り制御信号の送信の総数の設定値を示す第２パラメータが含まれない、
請求項４に記載の端末。
【請求項１０】
前記複数の下り制御信号の各々には、前記第１パラメータと、前記下り制御信号の送信の総数の設定値を示す第２パラメータとが含まれ、
前記第２パラメータに示される前記設定値は、前記総数より大きい値である、
請求項４に記載の端末。
【請求項１１】
複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成する回路と、
前記第１応答信号及び前記第２応答信号を送信する送信機と、
を具備する端末。
【請求項１２】
前記回路は、前記第１応答信号を前記第１パラメータ毎に生成する、
請求項１１に記載の端末。
【請求項１３】
複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成し、
前記コードブロックグループ毎の応答信号をまとめて送信する、
通信方法。
【請求項１４】
複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成し、
前記コードブロックグループ毎の応答信号をまとめて送信し、
１つの前記下り制御信号によって割り当てられる前記トランスポートブロックの各々に対応する前記応答信号のビット数は固定値である、
通信方法。
【請求項１５】
複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成し、
前記第１応答信号及び前記第２応答信号を送信する、
通信方法。
【発明の詳細な説明】
【技術分野】
【０００１】
本開示は、端末及び通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延などが必要とされる様々なユースケース毎に機能を柔軟に提供することが検討されている。代表的なユースケースとして、拡張モバイルブロードバンド（eMBB：enhanced Mobile Broadband）、大規模コミュニケーション/多数接続（mMTC：massive Machin Type Communications）、超信頼性・低遅延コミュニケーション（URLLC：Ultra Reliable and Low Latency Communicant)の３つがある。国際標準化団体である3GPP（3rd Generation Partnership Project）では、LTEシステムの高度化と、New RAT（Radio Access Technology）（例えば、非特許文献１を参照）の両面から、通信システムの高度化を検討している。【０００３】
LTEでは、下りリンク（DL：Downlink）データに対するHARQ（Hybrid Automatic Repeat Request）において、トランスポートブロック（TB：Transport Block）毎に再送制御が行われる。すなわち、基地局（eNBと呼ぶこともある）が端末（UE（User Equipment）と呼ぶこともある）に対してDLデータを送信した場合、端末は1TBにつき1bitのHARQ-ACK bit（応答信号）を生成し、基地局に送信する。TDD（Time Division Duplex）等では、端末は、複数のTB毎に1 bitのHARQ-ACK bitを生成することもある。
【先行技術文献】
【非特許文献】
【０００４】
【非特許文献１】RP-161596, "Revision of SI: Study on New Radio Access Technology", NTT DOCOMO, September 2016
【非特許文献２】3GPP TS 36.213 V14.2.0, "Physical layer procedures (Release 14)", 2017-03
【発明の概要】
【０００５】
New RATでは、コードブロックグループ（CBG：Code Block Group）毎の再送制御が検討されている。CBGは１つ以上のコードブロック（CB：Code Block）をグループ化したものであり、TBは１つ以上のCBGから構成される。しかしながら、New RATにおけるCBG毎の再送制御方法については十分に検討がなされていない。
【０００６】
本開示の一態様は、CBG毎の再送制御を適切に行うことができる端末及び通信方法の提供に資する。
【０００７】
本開示の一態様に係る端末は、複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成する回路と、前記コードブロックグループ毎の応答信号をまとめて送信する送信機と、を具備する。
【０００８】
本開示の一態様に係る端末は、複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成する回路と、前記コードブロックグループ毎の応答信号をまとめて送信する送信機と、を具備し、１つの前記下り制御信号によって割り当てられる前記トランスポートブロックの各々に対応する前記応答信号のビット数は固定値である。
【０００９】
本開示の一態様に係る端末は、複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成する回路と、前記第１応答信号及び前記第２応答信号を送信する送信機と、を具備する。
【００１０】
本開示の一態様に係る通信方法は、複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成し、前記コードブロックグループ毎の応答信号をまとめて送信する。
【００１１】
本開示の一態様に係る通信方法は、複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成し、前記コードブロックグループ毎の応答信号をまとめて送信し、１つの前記下り制御信号によって割り当てられる前記トランスポートブロックの各々に対応する前記応答信号のビット数は固定値である。
【００１２】
本開示の一態様に係る通信方法は、複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成し、前記第１応答信号及び前記第２応答信号を送信する。
【００１３】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１４】
本開示の一態様によれば、CBG毎の再送制御を適切に行うことができる。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】図１は、TDD適用時のHARQ-ACK送信処理の一例を示す。
【図２】図２は、CA適用時のHARQ-ACK送信処理の一例を示す。
【図３】図３は、TDD適用時のHARQ-ACKのCBGベース送信の一例を示す。
【図４】図４は、CA適用時のHARQ-ACKのCBGベース送信の一例を示す。
【図５】図５は、実施の形態１に係る端末の一部の構成を示す。
【図６】図６は、実施の形態１に係る基地局の構成を示す。
【図７】図７は、実施の形態１に係る端末の構成を示す。
【図８】図８は、実施の形態１に係る基地局及び端末の動作例を示す。
【図９】図９は、生成方法１−１に係るTDD適用時のHARQ-ACK送信処理の一例を示す。
【図１０】図１０は、生成方法１−１に係るCA適用時のHARQ-ACK送信処理の一例を示す。
【図１１】図１１は、生成方法２−１に係るTDD適用時のHARQ-ACK送信処理の一例を示す。
【図１２】図１２は、生成方法２−１に係るCA適用時のHARQ-ACK送信処理の一例を示す。
【図１３】図１３は、生成方法２−２に係るDL assignmentあたりのHARQ-ACK bit数のパターンの一例を示す。
【図１４】図１４は、生成方法２−３に係るTDD適用時のHARQ-ACK送信処理の一例を示す。
【図１５】図１５は、生成方法３−１に係るTDD適用時のHARQ-ACK送信処理の一例を示す。
【図１６】図１６は、生成方法３−１に係るCA適用時のHARQ-ACK送信処理の一例を示す。
【図１７】図１７は、生成方法３−２に係るTDD適用時のHARQ-ACK送信処理の一例を示す。
【図１８】図１８は、生成方法３−２に係るCA適用時のHARQ-ACK送信処理の一例を示す。
【発明を実施するための形態】
【００１７】
以下、本開示の実施の形態について図面を参照して詳細に説明する。
【００１８】
基地局（5GではgNBと呼ぶこともある）がDLデータの送信のためにDCI（Downlink Control Information）を送信したものの、端末が復号誤りによりDCIを受信できなかった場合（以降、「DCI復号誤り」と呼ぶ）、端末は自機宛てのDLデータの存在を認識しない。このような場合、端末が1回のDCI受信につき1回のHARQ-ACK送信を行う場合には、端末はHARQ-ACKを送信しない。基地局は、端末がHARQ-ACKを送信していないことを認識することで、端末でDCI復号誤りが発生したことを認識できる。
【００１９】
一方で、端末が複数回のDCI受信につき1回のHARQ-ACK送信を行う場合には、端末は、或るDLデータに対してDCI復号誤りが発生したとしても、当該DLデータ以外のDLデータの受信結果に基づいて生成したHARQ-ACK bit系列を基地局に送信する。この場合、DCI復号誤りに起因して、生成されるHARQ-ACK bit系列のbit数の認識が基地局と端末との間で異なったり、本来はDTX又はNACKと通知すべきところをACKと通知したりして、端末の受信状態が基地局に正しく伝わらない可能性がある。
【００２０】
そこで、LTEでは、DCI復号誤りが発生したことを端末が判別できるようにするための制御情報として、DAI（Downlink Assignment Index）が用いられている。DAIが使用されるのは、端末が複数のHARQ-ACKをまとめて送信する場合である。端末が複数のHARQ-ACKをまとめて送信するケースとしては、TDD時又はCA（Carrier Aggregation）適用時等がある。
【００２１】
以下、TDD適用時及びCA適用時のHARQ-ACK送信処理について説明する。
【００２２】
［TDD適用時のHARQ-ACK送信］
LTE TDDにおいて複数のHARQ-ACKをまとめて送信する方法として、「HARQ-ACK multiplexing」がある。HARQ-ACK multiplexingとは、端末が、1 subframeのDLデータ受信につき1 bitのHARQ-ACKを送信する方式である。例えば、端末がPUSCH（Physical Uplink Shared Channel）上でHARQ-ACKを送信する場合のHARQ-ACK multiplexingでは、DL assignment（下り割当信号）に含まれるDAIによってHARQ-ACK bit系列の配置が決定され、UL grant（上り割当信号）に含まれるDAIによってHARQ-ACKコードブックサイズ（１回のHARQ-ACK送信におけるbit数の合計）が決定される。
【００２３】
図１は、TDD HARQ-ACK multiplexingにおけるDAIの使用例を示す。図１に示すように、端末は、基地局（serving cell）からDCI及びDLデータを受信する際（DL受信時）、各subframeにおいて（DL assignmentにおけるDAI、UL grantにおけるDAI）を受信する。上述したように、DL assignmentにおけるDAI及びUL grantにおけるDAIは、HARQ-ACK multiplexingではそれぞれ以下の内容を示す。
DL assignmentにおけるDAI：HARQ-ACK bit系列のインデックス
UL grantにおけるDAI：HARQ-ACK bit系列のHARQ-ACKコードブックサイズ
【００２４】
端末は、DL assignmentにおけるDAI、UL grantにおけるDAIに基づいて、HARQ-ACK bitを決定する。例えば、図１では、subframe #1においてDCI復号誤りが発生している。一方、端末は、subframe #0, #2, #3においてDL assignmentのDAI（HARQ-ACK系列のインデックス：1,3,4）を受信し、subframe #3においてUL grantのDAI（HARQ-ACK系列のHARQ-ACKコードブックサイズ：4）を受信している。よって、端末は、subframe #1においてDCI復号誤りが発生していることを判別し、NACKをsubframe #1におけるHARQ-ACKとして生成する。これにより、端末は、自機の受信状態を基地局に正しく伝えることができる。
【００２５】
［CA適用時のHARQ-ACK送信］
Release 13のeCA（enhanced CA）では、「counter DAI」及び「total DAI」によってHARQ-ACK bit系列の配置及びHARQ-ACKコードブックサイズが決定される方式が採用されている。ここでは、HARQ-ACKをまとめて送信する範囲を「bundling window」と表す。
【００２６】
上記counter DAI及びtotal DAIはそれぞれ以下の内容を示す。
counter DAI：bundling windowにおけるPDSCH送信(DL assignment送信)の累積数
total DAI：bundling windowにおけるPDSCH送信(DL assignment送信)の総数
【００２７】
LTEでは、counter DAI及びtotal DAIの各々は2 bitで表されるが、4以上の数もカウント可能である。これは、端末においてDCI受信に4回連続で失敗する可能性が十分に低いことに基づいている。
【００２８】
図２は、Release 13 eCAにおけるDAIの使用例を示す。図２では、一例として、端末に対して３つのセル（Cell 0,1,2）によるCAが適用されている。
【００２９】
図２に示すように、端末は、基地局（serving cell）からDCI及びDLデータを受信する際（DL受信時）、各subframeにおいて各セルで（counter DAI、total DAI）を受信する。
【００３０】
端末は、counter DAI、total DAIに基づいて、HARQ-ACK bitを決定する。例えば、図２では、subframe #0のCell 1、及び、subframe #1のCell 2においてDCI復号誤りが発生している。一方、端末は、bundling windowにおいて、他のリソース（subframe #0のCell 0,2及びsubframe #1のCell 0）においてDAIを正常に受信しているので、bundling windowにおけるPDSCH送信（DL assignment送信）の総数が５であり、自機で1,3,4番目のPDSCH送信を受信していることを認識することができる。すなわち、端末は、subframe #0、及び、subframe #1において１回ずつDCI復号誤りが発生していることを判別し、NACKを、2,5番目のPDSCH送信に対するHARQ-ACKとして生成する。これにより、端末は、自機の受信状態を基地局に正しく伝えることができる。
【００３１】
なお、counter DAI/total DAIは、非特許文献２では2 bitの値（FDDではVDLC-DAI,c,k、VDLC-DAI,c。TDDではVDLC-DAI,c,k、VDLT-DAI,k)を指すが、説明の便宜上、ここでは、DL assignment送信の累積数及び総数をそれぞれ指すものとする。また、counter DAI/total DAIに関して実際にシグナリングする値は、累積数及び総数を4で除算した余り（modulo 4）の値となるが、以下では、説明が煩雑になるので、累積数及び総数として記載する。
【００３２】
以上、LTEのTDD適用時及びCA適用時におけるHARQ-ACK送信の一例について説明した。
【００３３】
New RATでは、上述したように、端末がCBG毎にHARQ-ACKを送信することが検討されている。また、端末に対して送信されるCBG数は、DCI（下り制御信号）を用いて動的に変更することが検討されている。このようなCBG毎のHARQ-ACK送信（CBGベース送信時）において各CBGに対するHARQ-ACK bit系列を送信する方法については十分に検討されていない。
【００３４】
図３及び図４は、一例として、TDD適用時及びCA適用時においてCBGベース送信を行う場合に発生する課題の説明に供する図である。
【００３５】
図３に示すように、TDD適用時においてDCI（DL assignment）が送信される時間リソース（ここではスロット）毎にCBG数が変更されている。また、図３では、slot #1においてDCI復号誤りが発生している。この場合、図３では、端末は、図１の動作と同様、slot #0及びslot #2の受信結果に基づいて、slot #1においてDCI復号誤りが発生していることを判別することができる。しかし、端末は、slot #1においてDCIを正常に受信していないため、slot #1のCBG数を判別できず、slot #1に対するHARQ-ACK（NACK）の数を特定することができない。
【００３６】
同様に、図４に示すようにCA適用時においてDCI（DL assignment）が送信される時間リソース（ここではスロット）毎及びセル毎にCBG数が変更されている。また、図４では、slot #0のCell 1、及び、slot #1のCell 2においてDCI復号誤りが発生している。この場合、図４では、端末は、図２の動作と同様、slot #0のCell 1及びslot #1のCell 2においてDCI復号誤りが発生していることを判別することができる。しかし、端末は、slot #0のCell 1及びslot #1のCell 2の各々においてDCIを正常に受信していないため、slot #0のCell 1及びslot #1のCell 2の各々のCBG数を判別できず、slot #0のCell 1及びslot #1のCell 2slot #1に対するHARQ-ACK（NACK）の数を特定することができない。
【００３７】
このように、CBG毎のHARQ-ACK送信時にHARQ-ACK bit系列を適切に送信することができない場合がある。そこで、以下では、CBG毎の再送制御を適切に行うことができる方法について説明する。
【００３８】
［通信システムの概要］
本開示の各実施の形態に係る通信システムは、基地局１００（gNB）及び端末２００（UE）を備える。
【００３９】
図５は本開示の一態様に係る端末２００の一部の構成を示すブロック図である。図５に示す端末２００において、HARQ-ACK生成部２０８は、複数の下り制御信号（例えば、DL assignment）にそれぞれ含まれる第１パラメータ（counter DAI）であって、複数の下り制御信号によって割り当てられる複数のトランスポートブロック（TB）の各々を構成するコードブロックグループ（CBG）の累積数を示す第１パラメータに基づいて、コードブロックグループ毎の応答信号（HARQ-ACK）を生成する。送信部２１１は、コードブロックグループ毎の応答信号をまとめて送信する。
【００４０】
［基地局の構成］
図６は、本実施の形態に係る基地局１００の構成を示すブロック図である。図６において、基地局１００は、スケジューリング部１０１と、DAI生成部１０２と、DCI生成部１０３と、DCI符号化・変調部１０４と、データ符号化・変調部１０５と、信号割当部１０６と、送信部１０７と、受信部１０８と、信号分離部１０９と、UCI復調・復号部１１０と、HARQ-ACK判定部１１１と、を有する。
【００４１】
スケジューリング部１０１は、HARQ-ACK判定部１１１から入力される判定結果を用いて、端末２００に対するスケジューリングを行い、スケジューリング結果を示すスケジューリング情報をDAI生成部１０２及びDCI生成部１０３に出力する。スケジューリング情報には、DLデータの送信先の端末に関する情報、送信するデータのCBGに関する情報（CBG番号、CBG数等）が含まれる。
【００４２】
DAI生成部１０２は、スケジューリング部１０１から入力されるスケジューリング情報に基づいて、DAI（例えば、counter DAI又はtotal DAI）を生成する。例えば、DAI生成部１０２は、bundling windowにおける過去のDLデータ数からcounter DAI又はtotal DAIをそれぞれ計算してもよい。DAI生成部１０２は、生成したDAIを示すDAI情報をDCI生成部１０３に出力する。なお、counter DAI/total DAIの定義は、非特許文献２に記載された定義に基づいてもよい。
【００４３】
DCI生成部１０３は、スケジューリング部１０１から入力されるスケジューリング情報、及び、DAI生成部１０２から入力されるDAI情報に基づいて、DLデータを割り当てるリソースを示す制御信号（例えば、DL assignment）のビット系列（DCIビット系列）を生成する。DCIには、例えば、CBG番号及びCBG数に関する情報も含まれる。DCI生成部１０３は、DCIビット系列をDCI符号化・変調部１０４に出力する。
【００４４】
DCI符号化・変調部１０４は、DCI生成部１０３から入力されるDCIビット系列を誤り訂正符号化し、符号化後の信号を変調し、変調後の信号（シンボル系列）を信号割当部１０６へ出力する。
【００４５】
データ符号化・変調部１０５は、入力される送信データのビット系列（DLデータ）を誤り訂正符号化し、符号化後の信号を変調し、変調後の信号（シンボル系列）を信号割当部１０６へ出力する。なお、送信データには、上位レイヤのシグナリング（例えば、RRC（Radio Resource Control））シグナリングが含まれてもよい。
【００４６】
信号割当部１０６は、DCI符号化・変調部１０４から入力されるシンボル系列（DCI）、及び、データ符号化・変調部１０５から入力されるシンボル系列（DLデータ）を、下りリンクリソース（例えば、時間・周波数リソース）に割り当てる。なお、送信信号には、OFDM（Orthogonal Frequency Division Multiplexing）等の送信波形生成が施される（図示せず）。これにより、DCI又はDLデータを含む送信信号が形成される。形成された送信信号は、送信部１０７へ出力される。
【００４７】
送信部１０７は、信号割当部１０６から入力される送信信号に対してアップコンバート等の無線送信処理を施し、アンテナを介して端末２００へ送信する。
【００４８】
受信部１０８は、端末２００から送信された信号をアンテナを介して受信し、受信信号に対してダウンコンバート等の無線受信処理を施し、信号分離部１０９へ出力する。
【００４９】
信号分離部１０９は、受信部１０８から受け取る受信信号からUCI（Uplink Control Information）を分離してUCI復調・復号部１１０へ出力する。
【００５０】
UCI復調・復号部１１０は、信号分離部１０９から入力されるUCIを復調、復号し、復号後のUCIをHARQ-ACK判定部１１１へ出力する。
【００５１】
HARQ-ACK判定部１１１は、UCI復調・復号部１１０から入力されるUCIに含まれる、DLデータに対するHARQ-ACKを判定し、判定結果をスケジューリング部１０１に出力する。
【００５２】
［端末の構成］
図７は、本実施の形態に係る端末２００の構成を示すブロック図である。図７において、端末２００は、受信部２０１と、信号分離部２０２と、データ復調・復号部２０３と、データ誤り検出部２０４と、DCI復調・復号部２０５と、DCI誤り検出部２０６と、DAI判定部２０７と、HARQ-ACK生成部２０８と、符号化・変調部２０９と、信号割当部２１０と、送信部２１１と、を有する。
【００５３】
受信部２０１は、アンテナを介して受信した受信信号に対してダウンコンバート等の受信処理を施した後に信号分離部２０２へ出力する。
【００５４】
信号分離部２０２は、受信部２０１から受け取る受信信号から、DCIを分離して、DCI復調・復号部２０５へ出力する。また、信号分離部２０２は、DCI復調・復号部２０５から入力されるDL割当情報（DL assignment）に基づいて、受信信号からDLデータを分離して、DLデータをデータ復調・復号部２０３へ出力する。
【００５５】
データ復調・復号部２０３は、信号分離部２０２から入力されるDLデータを復調、復号し、復号後のDLデータをデータ誤り検出部２０４に出力する。
【００５６】
データ誤り検出部２０４は、データ復調・復号部２０３から入力されるDLデータに対して誤り検出を行い、誤り検出結果をHARQ-ACK生成部２０８に出力する。なお、データ誤り検出部２０４は、DLデータが複数のCBGから構成される場合には、CBG毎の誤り検出結果をHARQ-ACK生成部２０８に出力する。
【００５７】
DCI復調・復号部２０５は、信号分離部２０３から入力されるDCIを復調、復号し、復号後のDCIを信号分離部２０２及びDCI誤り検出部２０６に出力する。
【００５８】
DCI誤り検出部２０６は、DCI復調・復号部２０５から入力されるDCI、及び、DAI判定部２０７から入力されるDAIに基づいて、DCIに対して誤り検出（例えば、DCI復号誤りの有無の判定等）を行い、誤り検出結果をHARQ-ACK生成部２０８に出力する。DCI誤り検出部２０６は、DCIの誤りが無い場合、当該DCIをDAI判定部２０７に出力する。
【００５９】
DAI判定部２０７は、DCI誤り検出部２０６から入力されるDCIから、DAIの値（例えば、counter DAI又はtotal DAI）を判定し、判定したDAIをDCI誤り検出部２０６及びHARQ-ACK生成部２０８に出力する。DAI判定部２０７は、例えば、非特許文献２の記載に基づいてcounter DAI、total DAIの値を判定してもよい。
【００６０】
HARQ-ACK生成部２０８は、データ誤り検出部２０４から入力される誤り検出結果、DCI誤り検出部２０６から入力される誤り検出結果、及び、DAI判定部２０７から入力されるDAIに基づいてHARQ-ACKを生成する。HARQ-ACK生成部２０８は、生成したHARQ-ACK（ビット系列）を符号化・変調部２０９に出力する。なお、HARQ-ACK生成部２０８におけるHARQ-ACK bit系列の生成方法の詳細については後述する。
【００６１】
符号化・変調部２０９は、HARQ-ACK生成部２０８から入力されるHARQ-ACKを誤り訂正符号化、変調する。符号化・変調部２０９は、変調後のHARQ-ACK（シンボル系列）を信号割当部２１０に出力する。
【００６２】
信号割当部２１０は、符号化・変調部２０９から入力されるHARQ-ACKを含むUCIを、上りリンクリソース（例えば、時間・周波数リソース）に割り当て、送信部２１１へ出力する。なお、送信信号には、OFDM等の送信波形生成が施される（図示せず）。これにより、UCIを含む送信信号が形成される。形成された送信信号は、送信部２１１へ出力される。
【００６３】
送信部２１１は、信号割当部２１０から入力される信号に対してアップコンバート等の送信処理を施し、アンテナを介して送信する。
【００６４】
［基地局１００及び端末２００の動作］
以上の構成を有する基地局１００及び端末２００における動作について詳細に説明する。
【００６５】
図８は基地局１００及び端末２００の動作を示すシーケンス図である。
【００６６】
基地局１００は、端末２００に対するDAI（例えば、counter DAI又はtotal DAI）を含むDCIを生成する（ＳＴ１０１）。そして、基地局１００は、生成したDCI及び当該DCI（すなわち、DL assignment）によって割り当てられるDLデータを端末２００へ送信する。
【００６７】
端末２００は、ＳＴ１０２でDCI及びDLデータを受信すると、DCI（DAI）に基づいて、DLデータに対するHARQ-ACKをCBG毎に生成し（ＳＴ１０３）、生成したHARQ-ACKをまとめて基地局１００へ送信する（ＳＴ１０４）。
【００６８】
次に、HARQ-ACK bit系列の生成方法（図８のＳＴ１０３の処理）の詳細について説明する。
【００６９】
＜生成方法１−１＞
生成方法１−１では、基地局１００は、DAIを用いて、端末２００に対するDLデータが割り当てられたCBGの累積数、及び、HARQ-ACK bit系列に含まれるCBGの総数を端末２００へ通知する。端末２００は、基地局１００から通知されるDAIに基づいて、CBG毎のHARQ-ACKを生成する。
【００７０】
例えば、DAIを構成するcounter DAI及びtotal DAIは、以下のように定義される。
counter DAI: CBGの累積数
total DAI: CBGの総数
【００７１】
CBG毎に1bitのHARQ-ACKが生成されるので、total DAIは、端末２００が１回にまとめて送信するHARQ-ACKのビット数を表す。
【００７２】
ここで、counter/total DAIのビット数は、最大CBG数等に応じて暗黙的に決定されてもよい。例えば、最大CBG数が8であり、4回のDL assignment受信でカウンタが一巡する定義とする場合には、counter/total DAIのビット数は5 bit（8*4=32 ⇒5 bit）となる。
【００７３】
基地局１００のDAI生成部１０２は、DLデータのCBG数、及び、bundling windowにおける過去のDLデータ送信履歴、及び、現在のDLデータのスケジューリング情報に基づいて、上記定義に従ってcounter DAI（CBGの累積数）及びtotal DAI（CBGの総数）を計算し、counter DAI及びtotal DAIを含むDAIを生成する。
【００７４】
つまり、基地局１００から端末２００に送信される複数のDCI（DL assignment）の各々に含まれるcounter DAIは、当該複数のDCIによってそれぞれ割り当てられる複数のTBの各々を構成するCBGの累積数を示す。また、基地局１００から端末２００に送信される複数のDCI（DL assignment）の各々に含まれるtotal DAIは、当該複数のDCIによって割り当てられCBGの総数（設定値）を示す。
【００７５】
図９はTDD適用時のHARQ-ACK送信の一例を示し、図１０はCA適用時のHARQ-ACK送信の一例を示す。
【００７６】
例えば、図９に示すTDD適用時において、slot #0〜#3の各々において通知されたDCI（DL assignment）によって端末２００に割り当てられたDLデータのCBG数は、2CBG、3CBG、1CBG、3CBGと動的に変更されている。
【００７７】
HARQ-ACKがまとめて送信されるCBG総数を9CBGとすると、基地局１００（DAI生成部１０２）は、total DAIを９に設定する。また、基地局１００は、各DCI（過去のDCI及び現在のDCI）によって割り当てられるCBG数に応じて、各DCI（DL assignment）に含まれるcounter DAIを2,5,6,9に設定する。これにより、slot #0〜#3で送信されるDAI（counter DAI, total DAI）は、それぞれ、（2, 9）、（5, 9）、（6, 9）、（9, 9）となる。
【００７８】
ここで、図９では、slot #1においてDCI復号誤りが発生しており、端末２００はslot #1のDAI（5, 9）を認識していない。
【００７９】
ただし、端末２００（HARQ-ACK生成部２０８）は、受信したDAIの値（図９では、slot #0、#2、#3のDAI）に基づいて、各スロット（slot #1を含む）のDLデータの受信結果であるHARQ-ACK bit系列をCBG（図９では9CBG）毎に生成する。例えば、（counter DAI − DLデータのCBG数）は、各CBGのACK bitの最小インデックスを示す。また、コードブックサイズは、total DAIの値とする。
【００８０】
具体的には、端末２００は、slot #0, #2, #3では、それぞれ2CBG、1CBG、3CBGに対応するHARQ-ACKを生成する。
【００８１】
また、端末２００は、slot #0のDAIが(2, 9)であり、slot #2のDAIが（6, 9）であるので、DLデータの受信結果が無いslot #1では3CBG（counter DAI=3,4,5に相当）のDLデータ（CBG）が基地局１００から送信されていると判定することができる。すなわち、端末２００は、slot #1では3CBGに対応する3bitのHARQ-ACKを生成する。また、端末２００は、DCI復号誤り等により、DLデータの受信結果が無い場合、HARQ-ACKとしてNACK（図９では3個のNACK）を設定する。
【００８２】
これにより、図９では、端末２００は、9個のCBGにそれぞれ対応する9bitのHARQ-ACK bit系列を生成する。端末２００は、9bitのHARQ-ACK bit系列を基地局１００へまとめて送信する。
【００８３】
基地局１００（HARQ-ACK判定部１１１）は、端末２００と同様のHARQ-ACKの上記定義に従って、UCIに含まれるHARQ-ACK bit系列に基づいて、端末２００における各CBGの受信結果を判定する。
【００８４】
次いで、図１０に示すCA適用時において、slot #0〜#2及びCell 0〜2の各々で通知されたDCI（DL assignment）によって端末２００に割り当てられたDLデータのCBG数は動的に変更されている。
【００８５】
図１０に示すbundling window（slot #0, #1）内でHARQ-ACKがまとめて送信されるCBG総数を10CBGとする。この場合、基地局１００（DAI生成部１０２）は、bundling window内の最初のslot #0では、total DAIを、slot #0でのCBG総数である6に設定する。これは、slot #0では、基地局１００において将来のスロットであるslot #1に対するスケジューリングが決定していないためである。また、基地局１００は、slot #0の各セルでDCIによって割り当てられるCBG数に応じて、slot #0の各セルのDCIに含まれるcounter DAIを2,5,6に設定する。これにより、slot #0のCell 0〜2で送信されるDAI（counter DAI, total DAI）は、それぞれ、（2, 6）、（5, 6）、（6, 6）となる。
【００８６】
また、基地局１００は、bundling window内の後続するslot #1では、total DAIを、bundling window内の前のスロット（slot #0）のCBG総数（6個）及びslot #1のCBG総数（4CBG）の合計である10に設定する。また、基地局１００は、slot #1の各セル（Cell 0,2）でDCIによって割り当てられるCBG数に応じて、slot #1の各セルのDCIに含まれるcounter DAIを9,10に設定する。これにより、slot #1のCell 0,2で送信されるDAI（counter DAI, total DAI）は、それぞれ、（9, 10）、（10, 10）となる。
【００８７】
ここで、図１０では、slot #1のCell 1及びslot #2のCell 2においてDCI復号誤りが発生しており、端末２００はslot #1のCell 1及びslot #2のCell 2のDAI（5, 6）、（10, 10）を認識していない。
【００８８】
ただし、端末２００（HARQ-ACK生成部２０８）は、受信したDAIの値に基づいて、各スロット及び各セルのDLデータの受信結果であるHARQ-ACK bit系列をCBG（図１０では10CBG）毎に生成する。例えば、（counter DAI − DLデータのCBG数）は、各スロット及びセルにおける各CBGのACK bitの最小インデックスを示す。また、コードブックサイズは、total DAIの値とする。
【００８９】
具体的には、端末２００は、bundling window内のslot #1のCell 0, 2及びslot #2のCell 0では、それぞれ2CBG、1CBG、3CBGに対応するHARQ-ACKを生成する。
【００９０】
また、端末２００は、slot #0のCell 0のDAIが(2, 6)であり、slot #0のCell 2のDAIが（6, 6）であるので、DLデータの受信結果が無いslot #0のCell 1では3CBG（counter DAI=3,4,5に相当）のDLデータ（CBG）が基地局１００から送信されていると判定することができる。すなわち、端末２００は、slot #0のCell 1では3CBGに対応する3bitのHARQ-ACKを生成する。同様に、端末２００は、slot #1において、Cell 0のDAIが(9, 10)であるので、DLデータの受信結果が無いCell 2では1CBG（counter DAI=10に相当）のDLデータが基地局１００から送信されていると判定することができる。すなわち、端末２００は、slot #1のCell 2では1CBGに対応する1bitのHARQ-ACKを生成する。また、端末２００は、DCI復号誤り等により、DLデータの受信結果が無い場合、HARQ-ACKとしてNACK（図１０では4個のNACK）を設定する。
【００９１】
これにより、図１０では、端末２００は、bundling window内の10個のCBGにそれぞれ対応する10bitのHARQ-ACK bit系列を生成する。端末２００は、10bitのHARQ-ACK bit系列を基地局１００へまとめて送信する。
【００９２】
基地局１００（HARQ-ACK判定部１１１）は、端末２００と同様のHARQ-ACKの上記定義に従って、UCIに含まれるHARQ-ACK bit系列に基づいて、端末２００における各CBGの受信結果を判定する。
【００９３】
このようにして、生成方法１−１によれば、端末２００は、LTEの構成（例えば、図１を参照）と比較してUCIに追加のbitを付加することなく、CBG毎のHARQ-ACK bit系列を生成することができる。また、基地局１００は、端末２００に送信したCBG毎のDLデータに対するHARQ-ACKを受信し、端末２００の受信状況をCBG毎に正しく判断することができる。
【００９４】
＜生成方法１−２＞
生成方法１−１では、基地局１００のスケジューリング部１０１（スケジューラ）は、現slotよりも将来のslotにおけるDLデータのリソース割当及びHARQ-ACKコードブックサイズを予測できないことが考えられる。この場合、基地局１００は、初期のslotではtotal DAIの値を正確に設定することができない。
【００９５】
そこで、生成方法１−２では、基地局１００から端末２００へ通知される複数のDCI（DL assignment）の各々には、counter DAIが含まれ、CBG総数（設定値）を示すtotal DAIが含まれない。なお、生成方法１−２では、生成方法１−１で使用されるtotal DAIの通知が廃止されてもよく、total DAIが別のパラメータの通知に使用されてもよい。基地局１００及び端末２００の他の動作については、生成方法１−１と同様である。
【００９６】
また、生成方法１−２では、HARQ-ACKのコードブックサイズは、RRCシグナリング等により半静的に設定されてもよく、DCI等により動的に設定されてもよい。HARQ-ACKのコードブックサイズが動的に設定される場合、HARQ-ACKコードブックサイズは、実際のDL assignment数、CBG数よりも大きな値でもよい。また、SPS（Semi-Persistent Scheduling）用のHARQ-ACKが存在する場合には、端末２００は、SPS用のHARQ-ACKを、HARQ-ACK bit系列の末尾に追加してもよい。
【００９７】
具体的には、基地局１００のDAI生成部１０２は、生成方法１−１と同様、counter DAIを生成するものの、total DAIを生成しない。すなわち、基地局１００から端末２００へ通知されるDAIには、counter DAIが含まれ、total DAIは含まれない。
【００９８】
端末２００のDAI判定部２０７は、受信したDCIから、counter DAIの値を判定する。すなわち、端末２００では、total DAIの判定は行われない。
【００９９】
また、端末２００のHARQ-ACK生成部２０８は、HARQ-ACKのコードブックサイズを、total DAIではなく、RRCシグナリング等又はDCI等により設定された値に基づいて決定する。
【０１００】
そして、端末２００は、生成方法１−１と同様、counter DAI及びHARQ-ACKのコードブックサイズに基づいて、CBG毎のHARQ-ACKを生成する。例えば、端末２００は、HARQ-ACKのコードブックサイズの範囲内において、設定されたUL送信のタイミングまでに生成されたCBG毎のHARQ-ACKを基地局１００へまとめて送信してもよい。
【０１０１】
生成方法１−２によれば、基地局１００はtotal DAIを使用せずにHARQ-ACKコードブックサイズを設定できる。また、HARQ-ACKのコードブックサイズの通知にDCIを使用しない場合には、DCIのオーバヘッドを低減することができる。
【０１０２】
＜生成方法１−３＞
生成方法１−３では、total DAI（CBGの総数の設定値）を実際に端末２００に割り当てられるCBGの数よりも大きい値に設定することを許容する。基地局１００及び端末２００の他の動作については、生成方法１−１と同様である。
【０１０３】
生成方法１−３では、counter DAI及びtotal DAIのbit数は、RRCシグナリング等により半静的に設定される。基地局１００が実際に端末２００に割り当てるCBG数よりも多い値がtotal DAIとして設定される場合には、counter/total DAIのbit数はより大きい値に設定される必要がある。
【０１０４】
基地局１００のDAI生成部１０２は、事前に決定したcounter/total DAIのbit数に従って、counter DAI又はtotal DAIを生成する。counter/total DAIのbit数は、例えば、最大CBG数、又は、total DAIによって通知されるCBG数と端末２００が実際に受信するCBG数との間にどれだけの誤差を許容するか等によって決定されてもよい。例えば、最大CBG数が8であり、total DAIで通知するCBG数と端末２００が実際に受信するCBG数との誤差を8回まで許容することを想定する場合、各DAIのbit数は6 bit（8*8=64 ⇒6 bit）となる。基地局１００は、許容する誤差に収まる範囲内で、total DAIを、実際よりも大きい値に設定すればよい。
【０１０５】
端末２００のDAI判定部２０７は、事前に設定されたcounter/total DAIのbit数に従って、受信したDCIから、counter/total DAIの値を判定する。
【０１０６】
生成方法１−３によれば、基地局１００が初期のslotでtotal DAIの値を正確に設定することができない場合でも、基地局１００は、total DAIの値を設定することができる。また、生成方法１−２のようにHARQ-ACKのコードブックサイズを半静的に設定する場合と比較して、生成方法１−３では、基地局１００は、total DAIを用いて動的にコードブックサイズを設定できるため、UCIのオーバヘッドを低減することができる。
【０１０７】
＜生成方法２−１＞
生成方法１−１では、DCI（DL assignment）によって割り当てられるTBあたりに設定されるHARQ-ACKのビット数（つまり、DL assignmentあたりのHARQ-ACK bit数）は、当該TBを構成するCBG数と同数である（例えば、図９又は図１０を参照）。
【０１０８】
これに対して、生成方法２−１では、DL assignmentあたりのHARQ-ACK bit数を、当該DL assignmentによって割り当てられるCBG数に依らず固定値とする。端末２００は、DL assignmentあたりの固定のHARQ-ACK bit数に基づいて、CBG毎のHARQ-ACKを生成する。
【０１０９】
例えば、１つのDL assignmentによって割り当てられるCBGの最大数が3の場合、DL assignmentあたりのHARQ-ACK bit数を3としてもよい。DL assignmentあたりのHARQ-ACK bit数は、CBGの最大数に応じて暗黙的に決定されてもよく、RRCシグナリング等によって半静的に設定されてもよく、DCI等によって動的に設定されてもよい。ただし、DL assignmentあたりのHARQ-ACK bit数は、動的に設定される場合でもbundling window内では同じ設定値とする。
【０１１０】
また、生成方法２−１では、counter DAIは、生成方法１−１〜１−３（CBGの累積数）と異なり、TB（つまり、DL assignmentの送信）毎に設定される。つまり、生成方法２−１では、LTEと同様の方法（例えば、図１を参照）によってcounter DAI（つまり、DL assignment送信の累積数）が設定される。
【０１１１】
また、端末２００のHARQ-ACK生成部２０８は、１つのDL assignmentによる割当に基づいて受信したCBG数がDL assignmentあたりのHARQ-ACK bit数（固定値）よりも少ない場合、残りのbitにNACKを設定する。
【０１１２】
図１１はTDD適用時のHARQ-ACK送信の一例を示し、図１２はCA適用時のHARQ-ACK送信の一例を示す。
【０１１３】
図１１及び図１２に示すように、各slot又は各セルにおけるDLデータのCBG数は動的に変更されている。ただし、図１１及び図１２に示すように、DL assignmentあたりのHARQ-ACK bit数は、CBG数に依らず、3bitに固定されている。
【０１１４】
端末２００のHARQ-ACK生成部２０８は、設定されたbit数（図１１及び図１２では3bit）に従ってHARQ-ACK bit系列を生成する。例えば、図１１に示すslot #0では、DL assignmentに従って受信したCBG数が２個であるので、端末２００は、HARQ-ACK bit数として設定された3bitのうちの2ビットに、各CBGに対するHARQ-ACK（ACK又はNACK。図１１ではACK）を設定し、残りの1ビットにNACKを設定する。他のslot #2, #3についても同様である。
【０１１５】
また、端末２００のHARQ-ACK生成部２０８は、DCI復号誤りが発生しているslot #1でも、例えば、slot #0のcounter DAI及びslot #2のcounter DAIに基づいて、DL assignment（counter DAI=2）によってDLデータが基地局１００から送信されていると判定する。この際、端末２００は、slot #1で送信されるCBGの個数を特定することができない。しかし、端末２００は、HARQ-ACK bit数として設定された3bitにNACKを設定する。すなわち、端末２００は、DCI復号誤りが発生した場合でも、当該DCIによって割り当てられるCBG数に依らず固定的に設定されたHARQ-ACK bit数に基づいてHARQ-ACKを生成することができる。
【０１１６】
これにより、図１１では、端末２００は、9個のCBGにそれぞれ対応するHARQ-ACKを含む12bitのHARQ-ACK bit系列を生成し、HARQ-ACK bit系列を基地局１００へまとめて送信する。
【０１１７】
なお、図１２でも、端末２００は、図１１と同様にしてDL assignmentあたりのHARQ-ACK bit数（固定値）に従って、HARQ-ACK bit系列を基地局１００へ送信する。
【０１１８】
基地局１００のHARQ-ACK判定部１１１は、端末２００に設定したbit数（図１１及び図１２では3bit）に従って、UCIに含まれるHARQ-ACK bit系列に基づいて、各CBGのHARQ-ACKを判定する。例えば、図１１に示すslot #0では、DL assignmentによって割り当てたCBG数が２個であるので、基地局１００は、HARQ-ACK bit数として設定された3bitのうちの2ビットを用いて、各CBGに対するHARQ-ACKを判定し、残りの1ビットにはHARQ-ACKが設定されていないと判定する。他のスロット（DL assignment）でも同様である。
【０１１９】
生成方法２−１によれば、DL assignmentあたりのHARQ-ACK bit数がDCIによって動的に設定される場合を除いて、Release 13と比較してDCIのオーバヘッドを増加させずにCBG毎のHARQ-ACK送信を行うことができる。また、生成方法２−１によれば、基地局１００は、total DAIを用いて動的にコードブックサイズを設定できるため、UCIのオーバヘッドを低減することができる。
【０１２０】
＜生成方法２−２＞
生成方法２−１では、DL assignmentあたりのHARQ-ACK bit数（図１１及び図１２では3bit）がDCIで通知される場合には、DCIのオーバヘッドが増加する。
【０１２１】
そこで、生成方法２−２では、設定可能なDL assignmentあたりのHARQ-ACK bit数のパターンを制限する。基地局１００及び端末２００の他の動作については、生成方法２−１と同様である。
【０１２２】
図１３は、設定可能なDL assignmentあたりのHARQ-ACK bit数を４パターンに制限した例を示す。図１３では、インデックス0,1,2,3に対して、DL assignmentあたりのHARQ-ACK bit数2,4,6,8が対応付けられている。
【０１２３】
図１３の場合、DL assignmentあたりのHARQ-ACK bit数に対応するインデックスを基地局１００から端末２００へ通知すればよい。よって、本来、DL assignmentあたりのHARQ-ACK bit数（最大値：8bit）を通知するために3bit必要であるのに対して、４パターンに制限することにより、DL assignmentあたりのHARQ-ACK bit数を2bitで通知可能となる。
【０１２４】
端末２００のHARQ-ACK生成部２０８は、基地局１００から通知されるインデックスに対応付けられたDL assignmentあたりのHARQ-ACK bit数に従って、HARQ-ACK bit系列を生成する。また、基地局１００のHARQ-ACK判定部１１１は、端末２００に対して設定したDL assignmentあたりのHARQ-ACK bit数に従ってHARQ-ACKを判定する。すなわち、DL assignmentあたりのHARQ-ACK bit数として設定される固定値として、規定された複数の候補（図１３では４候補）の中の何れか１つが選択される。
【０１２５】
このように、生成方法２−２によれば、設定可能なDL assignmentあたりのHARQ-ACK bit数を制限することにより、DCIのオーバヘッドを低減することができる。
【０１２６】
なお、設定可能なDL assignmentあたりのHARQ-ACK bit数のパターンは図１３に示すパターンに限定されない。
【０１２７】
また、例えば、端末２００に対して別途通知されるパラメータと、設定可能なDL assignmentあたりのHARQ-ACK bit数のパターンとを対応付けてもよい。例えば、端末２００に対して設定されるTB sizeが大きいほど、DL assignmentあたりのHARQ-ACK bit数が多くなるように、TB sizeとDL assignmentあたりのHARQ-ACK bit数のパターンとを対応付けてもよい。こうすることで、基地局１００は、端末２００に対して、DL assignmentあたりのHARQ-ACK bit数のパターンを暗黙的（implicit）に通知することができる。これにより、DL assignmentあたりのHARQ-ACK bit数を通知するためのシグナリングが不要となる。
【０１２８】
＜生成方法２−３＞
生成方法２−１では、DL assignmentあたりのHARQ-ACK bit数の一例として、DL assignmentあたりで割当可能なCBGの最大数に合わせた値を設定している。すなわち、CBG毎のHARQ-ACK送信を行うためには、DL assignmentあたりのHARQ-ACK bit数として、DL assignmentあたりのCBG数以下の値を設定することができない。
【０１２９】
しかし、DL assignmentあたりのCBGの最大数に合わせてDL assignmentあたりのHARQ-ACK bit数を設定する場合、実際に送信されたCBG数が少ないと未使用のHARQ-ACK bit系列が増加することにより、UCIのオーバヘッドが増加してしまう。
【０１３０】
そこで、生成方法２−３では、設定されたDL assignmentあたりのHARQ-ACK bit数（固定値）よりも実際にDL assignmentによって割り当てられたCBG数が多い場合、端末２００（HARQ-ACK生成部２０８）は、DL assignmentによって割り当てられたCBGのうち少なくとも２つのCBGに対するHARQ-ACKを束ねて1 bitのHARQ-ACK bit系列を生成する。基地局１００及び端末２００の他の動作については、生成方法２−１と同様である。
【０１３１】
図１４は、TDD適用時のHARQ-ACK送信処理において、DL assignmentあたりのHARQ-ACK bit数が2である場合の動作例を示す。図１４では、Slot #1、#3のようにDL assignmentによって3CBGが割り当てられる場合がある。すなわち、DL assignmentあたりのHARQ-ACK bit数（2bit）は、DL assignmentによって割り当てられるTBを構成するCBGの最大数未満の値である。
【０１３２】
図１４に示すslot #3のように、端末２００が受信したCBG数が3の場合、端末２００のHARQ-ACK生成部２０８は、例えば、slot #3内の１番目のCBGに対するACKと２番目のCBGに対するACKとを束ねて1 bitのHARQ-ACKを生成する。なお、1 bitのHARQ-ACKに束ねる対象となるCBGは１、２番目のCBGに限らず、他の組み合わせでもよい。
【０１３３】
また、HARQ-ACKを束ねるCBG数はceil( (受信したCBG数) / (DL assignmentあたりのHARQ-ACK bit数) )としてもよい。端数( (受信したCBG数) mod (DL assignmentあたりのHARQ-ACK bit数) )がある場合には、残ったCBG数でHARQ-ACKを束ねてもよい。また、HARQ-ACKを束ねる際には、束ねる複数のCBGのHARQ-ACKの中に1CBGでもNACKであれば、束ねた1bitのHARQ-ACKをNACKとする。
【０１３４】
基地局１００のHARQ-ACK判定部１１１は、端末２００と同様の定義に従って束ねられたHARQ-ACK bit系列がある場合、当該HARQ-ACK bitに対応するCBGの全てに対して、当該HARQ-ACK bit系列で通知されたACK又はNACKを設定する。
【０１３５】
生成方法２−３によれば、基地局１００は、DL assignmentあたりのHARQ-ACK bit数を少なく設定することが可能なため、UCIオーバヘッドを低減できる。
【０１３６】
なお、ここでは、TDD適用時のHARQ-ACK送信処理を一例として説明したが、CA適用時のHARQ-ACK送信処理についても生成方法２−３を同様に適用することができる。
【０１３７】
＜生成方法３−１＞
生成方法３−１では、端末２００は、DL assignmentの受信成否を通知するHARQ-ACK bit（以下、「DL Assignment ACK bit」と呼ぶ）と、CBGの受信成否を通知するHARQ-ACK bit（以下、「CBG ACK bit」と呼ぶ）を生成することにより、CBG毎のHARQ-ACKを生成する。
【０１３８】
ここで、DL Assignment ACK bitは、DL assignmentの受信成否を通知する。すなわち、DL assignment ACKの1 bitは、1つのDL assignmentに対応し、DL assignment ACK bitを設定する順番はcounter DAIの順番に対応する。また、端末２００は、正常に受信したcounter DAI及びtotal DAIによってDCI復号誤りを検出した場合、DCI復号誤りに対応するDL assignment ACK bitにはNACKを設定する。
【０１３９】
また、端末２００のHARQ-ACK生成部２０８は、DL Assignment ACK bitをslot毎に生成し、その後、各slotで受信したDLデータに対するCBG ACK bitをCBG毎に生成する。なお、端末２００は、DL Assignment ACK bitがNACKの場合、当該DL assignmentに対応するCBG ACK bitを生成しない（付加しない）。
【０１４０】
また、HARQ-ACKコードブックサイズは、RRCシグナリング等により半静的に設定されてもよく、DCI等により動的に設定されてもよい。なお、端末２００は、設定されたHARQ-ACKのコードブックサイズにおいて、CBG ACK bit、DL assignment ACK bit以外のbit（つまり、残りのbit）にはNACKを設定する。
【０１４１】
また、生成方法３−１では、counter DAIは、生成方法１−１〜１−３（CBGの累積数）と異なり、TB（つまり、DL assignmentの送信）毎に設定される。つまり、生成方法３−１では、LTEと同様の方法（例えば、図１を参照）によってcounter DAI（つまり、DL assignment送信の累積数）が設定される。
【０１４２】
図１５はTDD適用時のHARQ-ACK送信の一例を示し、図１６はCA適用時のHARQ-ACK送信の一例を示す。
【０１４３】
図１５及び図１６に示すように、各slot又は各セルにおけるDLデータのCBG数は動的に変更されている。また、HARQ-ACKのコードブックサイズとして、図１５では12bit、図１６では14bitが設定されている。
【０１４４】
例えば、図１５に示すTDD適用時において、slot #0では、端末２００は、DL assignmentを正常に受信し、当該DL assignmentに従って2CBGのDLデータを受信している。よって、端末２００のHARQ-ACK生成部２０８は、DL assignment ACK bitとして1bitのACKを設定し、CBG ACK bitとして2bitのACK（ここでは、ACK, ACK）を設定する。図１５に示すslot #2, #3についても同様にしてHARQ-ACKが生成される。
【０１４５】
一方、図１５に示すslot #1では、端末２００は、DCI復号誤りによりDL assignmentを受信していない。この際、端末２００は、slot #2において受信したDL assignmentに含まれるDAI（counter DAI, total DAI）に基づいて、slot #1においてDCI復号誤りが発生したこと（つまり、DL assignmentが存在すること）を特定する。そこで、端末２００は、slot #1に対するDL assignment ACK bitとして1bitのNACKを設定し、CBG ACKを設定しない。すなわち、DCI復号誤りが発生したスロットでは、CBG数に依らず、1bitのHARQ-ACK（DL assignment ACK）が送信される。
【０１４６】
また、図１５では、端末２００は、DL assignment ACK及びCBG ACKに使用されない残りの2bitにNACKを設定する。
【０１４７】
次いで、図１６に示すCA適用時において、slot #0では、端末２００は、Cell 0, 2においてDL assignmentを正常に受信し、当該DL assignmentに従って2CBG,1CBGのDLデータをそれぞれ受信している。また、端末２００は、slot #0のCell 0, 2において受信したDL assignmentに含まれるDAIに基づいて、slot #0のCell 1においてDCI復号誤りが発生したこと（つまり、DL assignmentが存在すること）を特定する。そこで、端末２００のHARQ-ACK生成部２０８は、slot #0のDL assignment ACK bitとして、Cell 0〜2にそれぞれ対応する3bitのHARQ-ACK（ACK,NACK,ACK）を設定し、CBG ACK bitとして、Cell 0, 2に対応する2bitのACK（ACK, ACK）を設定する。すなわち、slot #0のCell 1に対応するCBG ACKは生成されない。図１６に示すslot #1についても同様にしてHARQ-ACKが生成される。
【０１４８】
このように、端末２００は、端末２００に対して基地局１００から送信されたDCI（DL assignment）の各々に対するDL assignment ACK bitをスロット毎に生成し、かつ、端末２００が正常に受信したDL assignmentによって割り当てられたTB（CBG）に対するCBG ACKを生成する。
【０１４９】
基地局１００のHARQ-ACK判定部１１１は、端末２００と同様の定義に従って、端末２００から送信されるHARQ-ACK bit系列を判定する。すなわち、基地局１００は、各CBGのHARQ-ACKに加えて、DL assignmentの復号誤りの有無を検出する。
【０１５０】
生成方法３−１によれば、HARQ-ACKコードブックサイズをDCIで通知しない場合には、Release 13 eCAと比較して、追加のDCIオーバヘッドが発生しない。また、生成方法３−１では、生成方法２−１と比較して、DL assignmentあたりのCBG数に対するHARQ-ACKのbit数をslot間で柔軟に設定することができる。
【０１５１】
また、生成方法３−１によれば、DL assignment ACKを用いることで、基地局１００において、どのDL assignmentに対するDCI復号誤りがあったかを明確に判定できる。このため、基地局１００は、DL assignment ACKを用いてスケジューリングを効率良く行うことができる。例えば、基地局１００は、スケジューリングにおいて、DCI復号誤り時には初回送信時と同様の設定(RV(Redundancy Version)等の設定)を行うことにより、再送時の受信性能向上を図ることができる。
【０１５２】
＜生成方法３−２＞
生成方法３−１では、total DAI及びHARQ-ACKコードブックサイズを基地局１００から端末２００へ通知しているため、冗長であり、DCIのオーバヘッドが増加する。
【０１５３】
そこで、生成方法３−２では、基地局１００から端末２００へ通知される複数のDCI（DL assignment）の各々には、counter DAIが含まれ、DL assignment送信の累積数を示すtotal DAIが含まれない。なお、生成方法３−２では、生成方法３−１で使用されるtotal DAIの通知が廃止されてもよく、total DAIが別のパラメータの通知に使用されてもよい。
【０１５４】
また、生成方法３−１では、DL assignment ACKがスロット毎に生成されたのに対して（例えば、図１５及び図１６を参照）、生成方法３−２では、端末２００は、DL assignment（つまり、counter DAI）毎に、DL assignment ACK bit及びCBG ACKを順に生成する。
【０１５５】
基地局１００及び端末２００の他の動作については、生成方法３−１と同様である。
【０１５６】
また、HARQ-ACKコードブックサイズは、RRCシグナリング等により半静的に設定されてもよく、DCI等により動的に設定されてもよい。なお、端末２００は、設定されたHARQ-ACKのコードブックサイズにおいて、CBG ACK bit、DL assignment ACK bit以外のbit（つまり、残りのbit）にはNACKを設定する。
【０１５７】
これにより、生成方法３−２では、端末２００がbundling windowにおける最後のDL assignmentの受信に失敗した場合でも、当該DL assignmentに対するDL assignment ACKとしてNACKが設定されるので、total DAIが不要となる（詳細は後述する）。
【０１５８】
なお、SPS用のHARQ-ACKが存在する場合には、端末２００は、SPS用のHARQ-ACKを、HARQ-ACK bit系列の末尾に追加してもよい。これにより、上述したtotal DAIが不要となる特性を維持することができる。
【０１５９】
図１７はTDD適用時のHARQ-ACK送信の一例を示し、図１８はCA適用時のHARQ-ACK送信の一例を示す。
【０１６０】
図１７及び図１８に示すように、各slot又は各セルにおけるDLデータのCBG数は動的に変更されている。なお、HARQ-ACKのコードブックサイズとして、図１７では12bit、図１８では14bitが設定されている。また、図１７及び図９に示すように、基地局１００は、端末２００に対して、counter DAIを通知し、total DAIを通知しない。
【０１６１】
例えば、図１７に示すTDD適用時において、端末２００は、counter DAI=1に対応するDL assignmentを正常に受信し、当該DL assignmentに従って2CBGのDLデータを受信している。よって、端末２００のHARQ-ACK生成部２０８は、counter DAI=1に対応するDL assignment ACK bitとして1bitのACKを設定し、CBG ACK bitとして2bitのACK（ここでは、ACK, ACK）を設定する。図１７に示すcounter DAI=3, 4についても同様にしてHARQ-ACKが生成される。
【０１６２】
一方、図１７では、端末２００は、DCI復号誤りによりcounter DAI=2に対応するDL assignmentを受信していない。この際、端末２００は、counter DAI=3に対応するDL assignmentの受信時に、counter DAI=2に対応するDL assignmentについてDCI復号誤りが発生したことを特定する。そして、端末２００は、counter DAI=2に対応するDL assignment ACK bitとして1bitのNACKを設定し、counter DAI=2に対応するCBG ACKを設定しない。すなわち、端末２００は、DCI復号誤りによって受信していないDL assignmentに対して、当該DL assignmentによって割り当てられるCBG数に依らず、1bitのHARQ-ACK（DL assignment ACK）が送信される。
【０１６３】
また、図１７では、端末２００は、DL assignment ACK及びCBG ACKに使用されない残りの2bitにNACKを設定する。
【０１６４】
次いで、図１８に示すCA適用時において、端末２００は、counter DAI=1に対応するslot #0のCell 0においてDL assignmentを正常に受信し、当該DL assignmentに従って2CBGのDLデータを受信している。そこで、端末２００のHARQ-ACK生成部２０８は、counter DAI=1に対応するDL assignment ACK bitとして、1bitのHARQ-ACK（ACK）を設定し、CBG ACK bitとして2bitのACK（ここでは、ACK, ACK）を設定する。図１８に示すcounter DAI=3, 4についても同様にしてHARQ-ACKが生成される。つまり、図１８に示すように、counter DAI=1,3,4の各々に対して、DL assignment ACK、CBG ACKの順に生成される。
【０１６５】
一方、端末２００は、例えば、図１８に示すcounter DAI=1, 3を受信すると、counter DAI=2に対応するDL assignmentについてDCI復号誤りが発生していることを特定する。そこで、端末２００のHARQ-ACK生成部２０８は、counter DAI=2に対応するDL assignment ACK bitとして、1bitのNACKを設定し、counter DAI=2に対応するCBG ACKを設定しない。
【０１６６】
また、図１８に示す最後のcounter DAI=5に対応するDL assignmentについて、端末２００ではDCI復号誤りが発生している。ここで、端末２００は、生成方法３−１のようなtotal DAIが存在しないので、counter DAI=5のDL assignmentの有無を特定していない。よって、端末２００は、HARQ-ACKのコードブックサイズ（図１８では14bit）のうち、受信（又は特定）したcounter DAI=1〜4に対応するHARQ-ACK（DL assignment ACK及びCBG ACK）に割り当てられたbit以外の残りのbit（図１８では末尾の4bit）にNACKを設定する。これにより、端末２００は、端末２００がcounter DAI=5のDL assignmentの有無を特定していない場合でも、本来、counter DAI=5に対するDL assignment ACKが割り当てられる位置に、NACKを設定することができる。
【０１６７】
これにより、端末２００は、total DAIが無い場合に、最後のDL assignmentの受信に失敗した場合でも、当該DL assignmentに対するHARQ-ACK（NACK）を基地局１００へ正しく通知することができる。
【０１６８】
基地局１００のHARQ-ACK判定部１１１は、端末２００と同様の定義に従って、端末２００から送信されるHARQ-ACK bit系列を判定する。すなわち、基地局１００は、各CBGのHARQ-ACKに加えて、DL assignmentの復号誤りの有無を検出する。
【０１６９】
生成方法３−２によれば、total DAIが不要となるので、生成方法３−１と比較して、DCIオーバヘッドを低減できる。
【０１７０】
以上、本実施の形態に係るHARQ-ACKの生成方法について説明した。
【０１７１】
このようにして、本実施の形態では、端末２００は、基地局１００から通知される複数のDCI（DL assignment）に含まれるDAI（counter DAI又はtotal DAI）、及び、当該DCIによって割り当てられ、各々が少なくとも１つのCBGによって構成される複数のTBに基づいて、HARQ-ACK bit系列を生成する。
【０１７２】
これにより、例えば、DCIによってCBG数が動的に変更する場合でも、端末２００は、CBG毎のHARQ-ACKを基地局１００へ正確に通知することができる。例えば、生成方法１−１〜１−３では、端末２００は、DCI復号誤りが発生した場合でも、各DL assignmentによって割り当てられるCBG数を正しく判別し、CBG毎のHARQ-ACKを送信することができる。また、生成方法２−１〜２−３及び生成方法３−１，３−２では、端末２００は、DCI復号誤りが発生した場合でも、CBG毎のHARQ-ACK又はDCI復号誤りの有無を基地局１００に対して正しく通知することができる。
【０１７３】
以上より、本実施の形態によれば、DCIによってCBG数が動的に変更する場合でも、CBG毎のHARQ-ACK送信（再送制御）を適切に行うことができる。
【０１７４】
以上、本開示の実施の形態について説明した。
【０１７５】
なお、上記動作例は、単独で適用されてもよく、複数の動作例が組み合わせて適用されてもよい。
【０１７６】
例えば、生成方法２−１と生成方法１−２とを組み合わせてもよい。すなわち、生成方法２−１のようにDL assignmentあたりのHARQ-ACK bit数が固定の場合にも、生成方法１−２のようにtotal DAIの通知を廃止、又は、別のパラメータの通知に使用してもよい。なお、生成方法１−２では、counter DAI及びtotal DAIはそれぞれCBGの累積数及び総数を示したが、生成方法２−１に適用する場合には、DL assignmentの累積数及び総数とすればよい。また、HARQ-ACKコードブックサイズは、RRCシグナリング等により半静的に設定されてもよく、DCI等により動的に設定されてもよい。これにより、基地局１００はtotal DAIを使用せずにHARQ-ACKコードブックサイズを設定できる。また、DCIのオーバヘッドを低減できる。
【０１７７】
また、例えば、生成方法２−１と生成方法１−３とを組み合わせてもよい。すなわち、生成方法２−１のようにDL assignmentあたりのHARQ-ACK bit数が固定の場合にも、生成方法１−３のようにtotal DAIが実際のCBG数よりも多い設定を許容してもよい。なお、生成方法１−３では、counter DAI及びtotal DAIはCBGの累積数及び総数を示したが、生成方法２−１に適用する場合には、DL assignmentの累積数及び総数とすればよい。これにより、基地局１００は初期のslotにおいてHARQ-ACKコードブックサイズを正確に予測できなくても、total DAIの値を設定できる。
【０１７８】
また、例えば、生成方法１−１と、生成方法３−１又は生成方法３−２とを組み合わせてもよい。すなわち、生成方法１−１のようにcounter DAI及びtotal DAIをCBGの累積数及び総数とする場合にも、生成方法３−１又は生成方法３−２のようにDL Assignment ACK bitを付加してもよい。これにより、基地局１００は、どのDL assignmentで復号誤りがあったかを明確に判定できるため、スケジューリング等を効率良く行うことができる。
【０１７９】
また、例えば、生成方法２−１と、生成方法３−１又は生成方法３−２とを組み合わせてもよい。すなわち、生成方法２−１のようにDL assignmentあたりのHARQ-ACK bit数が固定の場合にも、生成方法３−１又は生成方法３−２のようにDL Assignment ACK bitを付加してもよい。これにより、基地局１００は、どのDL assignmentで復号誤りがあったかを明確に判定できるため、スケジューリング等を効率良く行うことができる。
【０１８０】
また、total DAIは、SPSによるDLデータ受信結果のHARQ-ACK数を含んでもよい。
【０１８１】
また、上位レイヤのシグナリングは、MACのシグナリングに置き換えてもよい。MACのシグナリングの場合、RRCのシグナリングと比較して、端末２００への通知頻度を上げることができる。
【０１８２】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１８３】
本開示の端末は、複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成する回路と、前記コードブロックグループ毎の応答信号をまとめて送信する送信機と、を具備する。
【０１８４】
本開示の端末において、前記複数の下り制御信号の各々には、前記第１パラメータが含まれ、前記複数の下り制御信号によって割り当てられる前記コードブロックグループの総数の設定値を示す第２パラメータが含まれない。
【０１８５】
本開示の端末において、前記複数の下り制御信号の各々には、前記第１パラメータと、前記複数の下り制御信号によって割り当てられる前記コードブロックグループの総数の設定値を示す第２パラメータとが含まれ、前記第２パラメータに示される前記設定値は、前記総数より大きい値である。
【０１８６】
本開示の端末は、複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成する回路と、前記コードブロックグループ毎の応答信号をまとめて送信する送信機と、を具備し、１つの前記下り制御信号によって割り当てられる前記トランスポートブロックの各々に対応する前記応答信号のビット数は固定値である。
【０１８７】
本開示の端末において、前記固定値は、前記トランスポートブロックを構成する前記コードブロックグループの最大数である。
【０１８８】
本開示の端末において、前記固定値は、前記トランスポートブロックを構成する前記コードブロックグループの最大数未満の値である。
【０１８９】
本開示の端末において、前記固定値は、規定された複数の候補の中の何れか１つである。
【０１９０】
本開示の端末において、前記複数の下り制御信号によって割り当てられた前記コードブロックグループの数が、前記固定値よりも多い場合、前記回路は、前記コードブロックグループのうち少なくとも２つのコードブロックグループに対する前記応答信号を束ねる。
【０１９１】
本開示の端末において、前記複数の下り制御信号の各々には、前記第１パラメータが含まれ、前記下り制御信号の送信の総数の設定値を示す第２パラメータが含まれない。
【０１９２】
本開示の端末において、前記複数の下り制御信号の各々には、前記第１パラメータと、前記下り制御信号の送信の総数の設定値を示す第２パラメータとが含まれ、前記第２パラメータに示される前記設定値は、前記総数より大きい値である。
【０１９３】
本開示の端末は、複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成する回路と、前記第１応答信号及び前記第２応答信号を送信する送信機と、を具備する。
【０１９４】
本開示の端末において、前記回路は、前記第１応答信号を前記第１パラメータ毎に生成する。
【０１９５】
本開示の通信方法は、複数の下り制御信号にそれぞれ含まれる第１パラメータであって、前記複数の下り制御信号によって割り当てられる複数のトランスポートブロックの各々を構成するコードブロックグループの累積数を示す前記第１パラメータに基づいて、前記コードブロックグループ毎の応答信号を生成し、前記コードブロックグループ毎の応答信号をまとめて送信する。
【０１９６】
本開示の通信方法は、複数の下り制御信号にそれぞれ含まれる第１パラメータであって、前記複数の下り制御信号の送信の累積数を示す前記第１パラメータに基づいて、前記複数の下り制御信号によって割り当てられる複数のトランスポートブロックの各々を構成するコードブロックグループ毎の応答信号を生成し、前記コードブロックグループ毎の応答信号をまとめて送信し、１つの前記下り制御信号によって割り当てられる前記トランスポートブロックの各々に対応する前記応答信号のビット数は固定値である。
【０１９７】
本開示の通信方法は、複数の下り制御信号にそれぞれ含まれる第１パラメータであって、前記複数の下り制御信号の送信の累積数を示す前記第１パラメータに基づいて、前記複数の下り制御信号の各々に対する第１応答信号と、前記複数の下り制御信号によって割り当てられる複数のトランスポートブロックの各々を構成するコードブロックグループ毎の第２応答信号とを生成し、前記第１応答信号及び前記第２応答信号を送信する。
【０１９８】
本開示の一態様は、移動通信システムに有用である。
【符号の説明】
【０１９９】
１００  基地局
１０１  スケジューリング部
１０２  DAI生成部
１０３  DCI生成部
１０４  DCI符号化・変調部
１０５  データ符号化・変調部
１０６，２１０  信号割当部
１０７，２１１  送信部
１０８，２０１  受信部
１０９，２０２  信号分離部
１１０  UCI復調・復号部
１１１  HARQ-ACK判定部
２００  端末
２０３  データ復調・復号部
２０４  データ誤り検出部
２０５  DCI復調・復号部
２０６  DCI誤り検出部
２０７  DAI判定部
２０８  HARQ-ACK生成部
２０９  符号化・変調部
【図１】
2019003635.tif 000003
【図２】
2019003635.tif 000004
【図３】
2019003635.tif 000005
【図４】
2019003635.tif 000006
【図５】
2019003635.tif 000007
【図６】
2019003635.tif 000008
【図７】
2019003635.tif 000009
【図８】
2019003635.tif 000010
【図９】
2019003635.tif 000011
【図１０】
2019003635.tif 000012
【図１１】
2019003635.tif 000013
【図１２】
2019003635.tif 000014
【図１３】
2019003635.tif 000015
【図１４】
2019003635.tif 000016
【図１５】
2019003635.tif 000017
【図１６】
2019003635.tif 000018
【図１７】
2019003635.tif 000019
【図１８】
2019003635.tif 000020
【国際調査報告】
2019003635.tif 000021
2019003635.tif 000022
2019003635.tif 000023
2019003635.tif 000024
2019003635.tif 000025
2019003635.tif 000026
2019003635.tif 000027
2019003635.tif 000028